(57)【要約】【課題】  従来、自動的に決められた偏光フィルタの回転角度で撮影された画像が使用者の意図に反する場合があった。【解決手段】  本発明では、光学レンズの光軸を含み前記光軸と平行な回転軸で回転可能な偏光フィルタと、前記光学レンズおよび前記偏光フィルタを通して画像を撮影する撮影手段と、前記偏光フィルタの基準角度に対する回転角度を検出する検出手段と、前記偏光フィルタを回転させながら前記撮影手段により複数の画像を撮影し、各画像が撮影された時の回転角度を前記検出手段により取得し、撮影された各画像の画像データにそれぞれの画像が撮影された時の前記回転角度の情報を関連付けて記憶媒体に記録する制御手段とを有することを特徴とする。【選択図】図１
2014182328.tif 000002
【特許請求の範囲】
【請求項１】
光学レンズの光軸を含み前記光軸と平行な回転軸で回転可能な偏光フィルタと、
前記光学レンズおよび前記偏光フィルタを通して画像を撮影する撮影手段と、
前記偏光フィルタの基準角度に対する回転角度を検出する検出手段と、
前記偏光フィルタを回転させながら前記撮影手段により複数の画像を撮影し、各画像が撮影された時の回転角度を前記検出手段により取得し、撮影された各画像の画像データにそれぞれの画像が撮影された時の前記回転角度の情報を関連付けて記憶媒体に記録する制御手段と
を有することを特徴とするカメラ。
【請求項２】
請求項１に記載のカメラにおいて、
前記偏光フィルタを回転させる駆動手段を更に設け、
前記制御手段は、前記駆動手段により前記偏光フィルタを予め決められた所定の角度間隔で回転させながら前記撮影手段により複数の画像を撮影する
ことを特徴とするカメラ。
【請求項３】
請求項１または請求項２に記載のカメラにおいて、
前記撮影手段は、予め設定された固定の露出条件で前記複数の画像を撮影する
ことを特徴とするカメラ。
【請求項４】
請求項３に記載のカメラにおいて、
前記光学レンズおよび前記偏光フィルタを通して入射する光の輝度値を計測する測光手段と、
前記制御手段は、前記偏光フィルタを回転させながら前記測光手段により前記輝度値を計測し、前記輝度値が最大となる前記偏光フィルタの回転角度における露出条件を前記固定の露出条件として設定する
ことを特徴とするカメラ。
【請求項５】
請求項４に記載のカメラにおいて、
前記測光手段が測光を行う領域を指定する指定手段を更に設け、
前記制御手段は、前記測光手段により前記指定された領域の前記輝度値を計測し、前記指定された領域の前記輝度値が最大となる前記偏光フィルタの回転角度における露出条件を前記固定の露出条件として設定する
ことを特徴とするカメラ。
【請求項６】
請求項４または請求項５に記載のカメラにおいて、
前記測光手段は、前記撮影手段によりリアルタイムで撮影される画像を用いて、前記輝度値を計測する
ことを特徴とするカメラ。
【請求項７】
請求項１から請求項６のいずれか一項に記載のカメラにおいて、
前記記憶媒体に記録された前記画像データを読み出して表示媒体に画像を表示する再生手段を更に設け、
前記再生手段は、前記記憶媒体から読み出した前記画像データに付加されている前記偏光フィルタの前記回転角度の情報を当該画像データの画像と共に前記表示媒体に表示する
ことを特徴とするカメラ。
【発明の詳細な説明】
【技術分野】
【０００１】
本発明は、偏光フィルタを用いるカメラに関する。
【背景技術】
【０００２】
一般的なカメラでは、撮影時に特定方向の光線成分を除去するための偏光フィルタが用いられている。偏光フィルタは、除去する光線成分の偏光方向をフィルタ部材の回転により変えることができる。例えば、カメラと被写体の間にガラス窓がある場合、偏光フィルタは、ガラス窓による不要な反射光を効果的に除去することができる。一般に、偏光フィルタはカメラのレンズの前面に装着され、使用者が手動でフィルタ部材を回転させながら所望の光線成分を除去できる効果的な角度に調整していた。そこで、効果的な角度を自動的に探す技術が検討されている（例えば、特許文献１参照）。
【先行技術文献】
【特許文献】
【０００３】
【特許文献１】特開平０３−１９２２３１号公報
【発明の概要】
【発明が解決しようとする課題】
【０００４】
従来技術では、撮影光路内に挿入された回転可能な偏光フィルタを回転させて測光値が最小値もしくは最大値となる回転角度の画像を撮影していた。ところが、使用者は、好ましくない方向からの光を選択的かつ意図的に除去できる偏光フィルタの効果を期待しているが、必ずしも測光値との相関があるとは限らず、自動的に決められた回転角度で撮影された画像が使用者の意図に反する場合があった。
【０００５】
上記課題に鑑み、本発明の目的は、偏光フィルタを回転させながら複数の画像を撮影し、撮影後に偏光フィルタの回転角度を確認できるカメラを提供することである。
【課題を解決するための手段】
【０００６】
本発明に係るカメラは、光学レンズの光軸を含み前記光軸と平行な回転軸で回転可能な偏光フィルタと、前記光学レンズおよび前記偏光フィルタを通して画像を撮影する撮影手段と、前記偏光フィルタの基準角度に対する回転角度を検出する検出手段と、前記偏光フィルタを回転させながら前記撮影手段により複数の画像を撮影し、各画像が撮影された時の回転角度を前記検出手段により取得し、撮影された各画像の画像データにそれぞれの画像が撮影された時の前記回転角度の情報を関連付けて記憶媒体に記録する制御手段とを有することを特徴とする。
【発明の効果】
【０００７】
本発明に係るカメラは、偏光フィルタを回転させながら複数の画像を撮影し、撮影後に偏光フィルタの回転角度を確認することができる。
【図面の簡単な説明】
【０００８】
【図１】本実施形態に係るカメラ１００の構成例を示す図である。
【図２】偏光フィルタ１０１ｂの構成例を示す図である。
【図３】撮影時の処理を示すフローチャートである。
【図４】露出条件を固定して撮影する時の処理を示すフローチャートである。
【図５】メモリカード１０６ａに保存される画像データの一例を示す図である。
【図６】撮影済みの画像データを読み出して表示部１０７に表示する再生処理の一例を示すフローチャートである。
【図７】偏光フィルタ１０１ｂの回転角度情報の表示例を示す図である。
【発明を実施するための形態】
【０００９】
以下、本発明に係るカメラ実施形態について図面を用いて詳しく説明する。
［カメラ１００の構成例］
図１は、カメラ１００の一例を示すブロック図である。図１において、カメラ１００は、レンズ部１０１と、撮像部１０２と、画像バッファ１０３と、画像処理部１０４と、制御部１０５と、メモリカードＩＦ（インターフェース）１０６と、表示部１０７と、操作部１０８と、不揮発性メモリ１０９と、角度検出部１１０とを有する。さらに、カメラ１００は、駆動部１１１、測光部１１２を有してもよい。
【００１０】
レンズ部１０１は、少なくとも１枚の光学レンズ１０１ａと、偏光フィルタ１０１ｂとを有する。光学レンズ１０１ａは、被写体から入射する光を撮像部１０２の受光面に結像する。偏光フィルタ１０１ｂは、撮影時に特定方向からの光線成分を除去するための光学フィルタである。そして、偏光フィルタ１０１ｂは、光軸または光軸と平行な軸を中心として回転できる機構を有し、光線成分を除去する偏光方向を変えることができる。
【００１１】
ここで、偏光フィルタ１０１ｂは、撮影者が手動で回転させてもよいし、専用の駆動部１１１を設けて、制御部１０５の指令によって回転させてもよい。
【００１２】
撮像部１０２は、撮像素子、Ａ／Ｄ変換器などで構成される。そして、レンズ部１０１により撮像素子の受光面に結像される被写体像は、光量に応じた電気信号に変換され、さらに、Ａ／Ｄ変換器でデジタルの画像データに変換されて画像バッファ１０３に取り込まれる。尚、撮像素子は、行列状に配置された複数の画素（例えば３６００万画素）で構成され、各画素にはＲＧＢ３色のいずれか１色のカラーフィルタがベイヤー配列などで配置されている。そして、制御部１０５は、撮影毎に各画素からＲＧＢのいずれかの色成分のＲＡＷデータ（撮像素子が出力する加工されていない生の画像データ）を読み出して、画像バッファ１０３に取り込む。
【００１３】
画像バッファ１０３は、例えば、高速で読み書きが可能なメモリが用いられ、撮像部１０２で撮影された画像を一時的に記憶する。また、画像バッファ１０３は、画像処理部１０４や制御部１０５が画像データの処理を行う時のバッファとしても使用される。
【００１４】
画像処理部１０４は、撮像部１０２で撮像されたＲＡＷデータの画像や撮影済みの画像に対して画像処理を行う。
【００１５】
ここで、画像処理部１０４は、色補間処理、ホワイトバランス処理、ガンマ補正処理、輪郭強調処理などの画像処理を行う。色補間処理は、各画素にＲＧＢ３色のいずれか１つの色成分の情報しか持たないＲＡＷデータを補間して、各画素にＲＧＢ３色の情報を有するＲＧＢデータやＹＣｂＣｒデータなどの輝度／色差データに変換する処理である。また、画像処理部１０４は、画像処理が施された画像をメモリカード１０６ａに保存するために、ＪＰＥＧ規格などによる画像圧縮処理も行う。
【００１６】
制御部１０５は、ＣＰＵ（Central Processing Unit）、インターフェース回路などを有し、ＣＰＵ内部のメモリや不揮発性メモリ１０９に予め記憶されたプログラムコードに従って動作する。例えば制御部１０５は、撮像部１０２で画像を撮影する時の露出条件（絞り値、シャッター速度、ＩＳＯ感度、露光時間など）を制御する。ここで、制御部１０５は、露出条件を決定するために、レンズ部１０１を通して入射する被写体の輝度値を計測する。尚、被写体の輝度値は、撮像部１０２が出力する画像から算出してもよいし、専用の測光部１１２を設けて計測してもよい。
【００１７】
また、制御部１０５は、操作部１０８から入力する操作情報に基づいて、撮影モードの選択、撮影条件の設定、撮影処理および再生処理などを行う。例えば、制御部１０５は、操作部１０８のレリーズボタンが押下されると、撮像部１０２で画像を撮影して画像バッファ１０３に取り込み、画像処理部１０４で画像処理を行ってメモリカード１０６ａに保存する処理を行う。また、制御部１０５は、操作部１０８で撮影済みの画像の再生ボタンが選択されると、メモリカード１０６ａに保存された撮影済みの画像データを読み出して表示部１０７に表示する処理を行う。さらに、制御部１０５は、表示部１０７への画像の表示だけでなく、操作メニューを表示部１０７に表示して、撮影条件や撮影モードなどを設定する処理を行う。また、制御部１０５は、偏光フィルタ１０１ｂの回転角度を角度検出部１１０から取得して、撮像部１０２で撮影した画像の画像データをメモリカード１０６ａに保存する時に、回転角度の情報（以降、回転角度情報と称する）を画像データに関連付けて保存する。尚、回転角度情報と画像データの関連付けは、例えばＥｘｉｆ規格のファイル形式である場合、画像データのヘッダに回転角度情報を格納して保存する。或いは、回転角度情報と画像データとを別々のファイルに保存して、ファイル名や属性などで関連付けを行ってもよいし、回転角度情報と画像データとの対応を示すテーブルを作成して、作成したテーブルを保存するようにしてもよい。
【００１８】
メモリカードＩＦ１０６は、メモリカード１０６ａを接続するためのインターフェース回路である。制御部１０５は、メモリカードＩＦ１０６を介してメモリカード１０６ａにアクセスし、画像データの書き込みや読み出しを行う。
【００１９】
表示部１０７は、例えば液晶モニタが用いられ、制御部１０５により出力される画像や操作メニューなどが表示される。また、本実施形態では、撮影済みの画像を表示部１０７に表示する時に、その画像を撮影した時の偏光フィルタ１０１ｂの回転角度の情報が表示される。
【００２０】
操作部１０８は、電源をＯＮ／ＯＦＦするための電源ボタン、撮影指示を行うためのレリーズボタン、撮影モードを選択するための選択ダイヤル、設定メニューを操作するためのカーソルボタンや決定ボタン、タッチパネルなどの操作部材を有する。本実施形態におけるカメラ１００は、「偏光フィルタ撮影モード」を有し、偏光フィルタ１０１ｂの回転角度が異なる複数の画像を撮影することができる。
【００２１】
不揮発性メモリ１０９は、電源がＯＦＦされている時でも記憶内容を保持可能な不揮発性のメモリが用いられる。不揮発性メモリ１０９は、制御部１０５のプログラムコードや動作に必要なパラメータ、操作メニューなどで設定された内容が記憶される。例えば、「偏光フィルタ撮影モード」において、偏光フィルタ１０１ｂを回転しながら画像を撮影する時の露出条件や回転する角度の間隔などのパラメータが記憶される。尚、メモリカード１０６ａと同様に、撮影された画像の画像データを不揮発性メモリ１０９に記憶できるようにしてもよい。
【００２２】
角度検出部１１０は、偏光フィルタ１０１ｂの回転角度を検出する。
【００２３】
駆動部１１１は、偏光フィルタ１０１ｂの回転角度を制御部１０５の指令により変更する駆動機構である。
【００２４】
測光部１１２は、レンズ部１０１から入射する光の輝度値を計測するための専用の部品である。尚、測光部１１２の代わりに撮像部１０２によりリアルタイムで画像バッファ１０３に取り込まれる画像から輝度値を求めてもよい。
【００２５】
次に、制御部１０５の処理について説明する。図１において、制御部１０５は、回転処理部１５１と、撮影処理部１５２と、再生処理部１５３とを有する。
【００２６】
回転処理部１５１は、角度検出部１１０の出力情報に基づいて、偏光フィルタ１０１ｂの回転方向や回転角度を検出する処理を行う。尚、駆動部１１１を有する場合、回転処理部１５１は、偏光フィルタ１０１ｂを回転させる処理を行う。
【００２７】
撮影処理部１５２は、撮像部１０２を制御して画像を撮影する処理、撮像部１０２や測光部１１２により被写体像の輝度値を計測する処理、などを行う。また、撮影処理部１５２は、操作部１０８により選択された撮影モードに基づいて、露出条件を設定する処理を行う。さらに、撮影処理部１５２は、撮影された画像に対する画像処理を画像処理部１０４に指示して、表示部１０７に撮影した画像を表示したり、メモリカード１０６ａに撮影した画像の画像データを保存する処理を行う。そして、撮影処理部１５２は、撮影した画像の画像データに、その画像を撮影した時の偏光フィルタ１０１ｂの回転角度の情報を関連付けてメモリカード１０６ａに保存する。
【００２８】
再生処理部１５３は、メモリカード１０６ａに保存された撮影済みの画像データを読み出して、読み出した画像データの画像を表示部１０７に表示する処理を行う。そして、再生処理部１５３は、メモリカード１０６ａに保存された撮影済みの画像データに関連付けて記憶されている偏光フィルタ１０１ｂの回転角度の情報を読み出して、読み出した画像データの画像と回転角度の情報とを表示部１０７に表示する処理を行う。
【００２９】
図２は、偏光フィルタ１０１ｂの一例を示す図である。図２（ａ）において、偏光フィルタ１０１ｂは、可動式の偏光ガラス３００と、偏光ガラス３００を光路内に挿入するか否かを切り替えるモータ３０１と、偏光ガラス３００を光路内に挿入した状態で偏光フィルタ１０１ｂを光軸を中心に回転させるためのモータ３０２と、回転角度を検出するためのエンコーダ３０３ａと、偏光フィルタ１０１ｂの基準角度を検出するためのエンコーダ３０３ｂとを有する。尚、モータ３０１およびモータ３０２は、駆動部１１１に含まれる。また、エンコーダ３０３ａおよびエンコーダ３０３ｂは、角度検出部１１０に含まれる。
【００３０】
モータ３０２は、軸に取り付けられたギア３０４が偏光フィルタ１０１ｂの周囲に刻まれたギア３０５を駆動する。そして、ギア３０４の歯数と偏光フィルタ１０１ｂの周囲のギア３０５の歯数の比率は予め決められており、例えば、モータ３０２の回転角度に比例して偏光フィルタ１０１ｂが回転する。
【００３１】
エンコーダ３０３ａは、モータ３０２の回転角度を検出し、例えばエンコーダ３０３ａの分解能が１０度単位である場合、モータ３０２の１回転を１／３６の精度で検出できる。一例として、軸のギア３０４の歯の数が３６個、軸のギア数と偏光フィルタ１０１ｂの周囲のギア３０５の歯の数が３６０個の場合、モータ３０２が１／３６回転した時に、偏光フィルタ１０１ｂは１度回転する。そして、モータ３０２が１０回転すると偏光フィルタ１０１ｂは３６０度回転する。尚、エンコーダ３０３は、例えば、位相をずらした複数の検出機構を有し、偏光フィルタ１０１ｂの回転方向を判別できる。また、モータ３０１およびモータ３０２は、例えば、ステッピングモータが使用され、制御部１０５は、各モータの回転角度を正確に制御できる。
【００３２】
ここで、偏光フィルタ１０１ｂの回転角度は、予め決められた基準角度に対する回転角度として検出される。尚、基準角度は、図２（ａ）に示すように、基準角度の検出板３０６がエンコーダ３０３ｂで検出された時の偏光フィルタ１０１ｂの回転角度であり、本実施形態では、基準角度を０度とする。例えば、制御部１０５は、図２（ｂ）に示す基準角度（０度）から、偏光フィルタ１０１ｂを時計方向に回転させて、偏光ガラス３００の偏光方向を４５度、９０度、１３５度、１８０度のように、偏光方向を変えることができる。図２（ｃ）は、基準角度から偏光フィルタ１０１ｂを９０度回転させた時の偏光ガラス３００の回転角度の様子を示している。
【００３３】
尚、偏光フィルタ１０１ｂを撮影者が手動で回転させる場合、モータ３０２が空回りするようにして、制御部１０５は、エンコーダ３０３ａおよびエンコーダ３０３ｂにより、偏光フィルタ１０１ｂの基準角度および回転角度を取得する。或いは、カメラ１００が手動のみで偏光フィルタ１０１ｂを回転させる場合、エンコーダ３０３ａを残してモータ３０２を取り除いてもよい。また、偏光フィルタ１０１ｂの有無を手動で切り替える場合は、モータ３０１も不要である。
【００３４】
このようにして、本実施形態に係るカメラ１００は、偏光フィルタ１０１ｂの角度を基準角度に対する回転角度として検出することができる。
【００３５】
図３は、「偏光フィルタ撮影モード」における撮影時の処理を示すフローチャートである。
【００３６】
（ステップＳ１０１）制御部１０５は、駆動部１１１により、偏光フィルタ１０１ｂを基準角度に移動する。
【００３７】
（ステップＳ１０２）制御部１０５は、撮像部１０２により画像を撮影し、撮影した画像の画像データを画像バッファ１０３に取り込む。
【００３８】
（ステップＳ１０３）制御部１０５は、角度検出部１１０により、偏光フィルタ１０１ｂの角度情報を取得する。
【００３９】
（ステップＳ１０４）制御部１０５は、画像バッファ１０３に取り込まれた画像データに角度情報を関連付けてメモリカード１０６ａに保存する。
【００４０】
（ステップＳ１０５）制御部１０５は、偏光フィルタ１０１ｂの基準角度に対する累計角度（ステップＳ１０６で所定角度ずつ回転させた時の基準角度に対する角度）が１８０度以上になったか否かを判別する。制御部１０５は、累計角度が１８０度以上になった場合、撮影処理を終了し、累計角度が１８０度未満の場合、ステップＳ１０６の処理に進む。
【００４１】
（ステップＳ１０６）制御部１０５は、駆動部１１１により、偏光フィルタ１０１ｂを予め決められた所定の角度（例えば５度など）だけ回転させる。そして、ステップＳ１０２の処理に戻って、制御部１０５は、偏光フィルタ１０１ｂの基準角度に対する累計角度が例えば１８０度以上になるまで、同様の処理を繰り返し実行する。尚、累計角度は、１８０度でなくてもよい。
【００４２】
ここで、上記の説明では、露出条件については特に触れなかったが、偏光フィルタ１０１ｂの効果によって画像の輝度値が変化する。例えば、ステップＳ１０２において、自動露出で画像を撮影する場合、撮影毎に露出条件が変動する。
【００４３】
そこで、図４に示したように、撮影時のステップＳ１５１で露出条件を設定し、設定した固定の露出条件でステップＳ１０１以降の処理を実行するようにしてもよい。これにより、露出条件を固定できるので、偏光フィルタ１０１ｂの回転角度を変えながら撮影した一連の複数の画像の偏光の効果がわかり易くなる。尚、図４において、図３と同符号の処理は、図３と同様の処理を示す。
【００４４】
さらに、ステップＳ１５１の露出条件の設定処理において、制御部１０５は、偏光フィルタ１０１ｂを１８０度（または３６０度）まで回転させながら撮像部１０２または測光部１１２で撮影しようとする画像の輝度値を計測し、輝度値が最大となる偏光フィルタ１０１ｂの回転角度を求める。そして、制御部１０５は、求めた回転角度に偏光フィルタ１０１ｂを回転し、この回転角度で露出条件を設定する。これにより、輝度値が最大となる偏光フィルタ１０１ｂの回転角度で露出条件を設定するので、ステップＳ１０１以降の処理で撮影した画像に白飛びなどの問題が生じるのを回避できる。或いは、カメラ１００のダイナミックレンジが広い場合は、任意の輝度値で露出条件を設定してもよい。
【００４５】
このようにして、本実施形態に係るカメラ１００は、露出条件を固定して、偏光フィルタ１０１ｂを回転させながら画像を撮影し、撮影した画像の画像データに偏光フィルタ１０１ｂの回転角度の情報を関連付けてメモリカード１０６ａに保存する。
【００４６】
図５は、偏光フィルタ１０１ｂの回転角度の情報を画像データのヘッダに格納して保存する一例を示している。図５の例では、カメラ１００は、偏光フィルタ１０１ｂを５度のステップで回転させる毎に画像を撮影し、その時の偏光フィルタ１０１ｂの基準角度に対する角度を撮影した画像の画像データのヘッダに格納してメモリカード１０６ａに記憶する。尚、画像データのフォーマットは、例えばＥｘｉｆ規格に対応し、画像データのヘッダ部分にファイル名や撮影日時などと共に偏光フィルタ１０１ｂの基準角度に対する回転角度の情報が記憶される。ここで、回転角度の情報は、角度の情報であってもよいし、角度に対応する予め決められた符号でもよい。或いは、回転角度の情報は、モータ３０２の回転数であってもよいし、エンコーダ３０３ｂの出力値であってもよい。いずれの場合であっても、撮影した画像の偏光フィルタ１０１ｂの角度がわかればよい。
【００４７】
図５の例では、制御部１０５は、偏光フィルタ１０１ｂが０度の回転角度で撮影した画像ＩＭＧａの画像データのヘッダに０度の角度情報を格納する。同様に、制御部１０５は、偏光フィルタ１０１ｂが５度の回転角度で撮影した画像ＩＭＧｂの画像データのヘッダに５度の角度情報を格納し、１７５度の回転角度で撮影した画像ＩＭＧｃの画像データのヘッダに１７５度の角度情報を格納する。例えば図５の吹き出し部分に示したように、画像ＩＭＧｃの画像データのヘッダには、ファイル名、撮影日時、撮影時の偏光フィルタ１０１ｂの回転角度情報などが付加されて、メモリカード１０６ａに保存される。さらに、ヘッダに、偏光フィルタ１０１ｂを回転させながら撮影した同じ被写体の関連する画像のファイル名（例えばＩＭＧａ、ＩＭＧｂ）を付加してもよい。これにより、再生時に、偏光フィルタ１０１ｂの回転角度が異なる同じ被写体の関連する画像を検索して、読み出すことができる。或いは、再生時に、偏光フィルタ１０１ｂの効果が異なる一連の画像を回転角度の順番に並べて表示することもできる。
【００４８】
次に、メモリカード１０６ａに保存されている撮影済みの画像データを読み出して、表示部１０７に画像を表示する処理について図６を用いて説明する。
【００４９】
（ステップＳ２０１）制御部１０５は、メモリカード１０６ａに保存されている撮影済みの画像データのサムネイル画像を表示部１０７に表示する。そして、使用者は、表示部１０７に表示されたサムネイル画像の中から見たい画像を選択する。或いは、使用者がスライドショーの実行を選択した場合、制御部１０５は、メモリカード１０６ａに記憶されている撮影済みの画像データを順番に選択する。
【００５０】
（ステップＳ２０２）制御部１０５は、メモリカード１０６ａに保存されている撮影済みの画像データの中からステップＳ２０１で選択された画像データを画像バッファ１０３に読み出す。
【００５１】
（ステップＳ２０３）制御部１０５は、画像データのヘッダに撮影時の偏光フィルタ１０１ｂの角度情報が格納されているか否かを判別する。そして、制御部１０５は、ヘッダに角度情報が格納されている場合は、ステップＳ２０４の処理に進み、角度情報が格納されていない場合は、ステップＳ２０５の処理に進む。
【００５２】
（ステップＳ２０４）制御部１０５は、角度情報と画像とを表示部１０７に表示する（図７（ａ）参照）。
【００５３】
（ステップＳ２０５）制御部１０５は、画像を表示部１０７に表示する（図７（ｂ）参照）。
【００５４】
このようにして、本実施形態に係るカメラ１００は、撮影済みの画像を表示部１０７に表示する時に、その画像の画像データに関連付けて撮影時の偏光フィルタ１０１ｂの回転角度の情報が記憶されている場合、撮影時の偏光フィルタ１０１ｂの回転角度を画像と共に表示する。これにより、使用者は、画像を撮影した時の偏光フィルタ１０１ｂの回転角度を確認することができ、確実に所望の画像を入手することができる。
【００５５】
以上、本発明に係るカメラについて、実施形態で例を挙げて説明してきたが、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００５６】
１００・・・カメラ；１０１・・・レンズ部；１０１ａ・・・光学レンズ；１０１ｂ・・・偏光フィルタ；１０２・・・撮像部；１０３・・・画像バッファ；１０４・・・画像処理部；１０５・・・制御部；１０６・・・メモリカードＩＦ；１０６ａ・・・メモリカード；１０７・・・表示部；１０８・・・操作部；１０９・・・不揮発性メモリ；１１０・・・角度検出部；１１１・・・駆動部；１１２・・・測光部；１５１・・・回転処理部；１５２・・・撮影処理部；１５３・・・再生処理部；３００・・・偏光ガラス；３０１，３０２・・・モータ；３０３ａ，３０３ｂ・・・エンコーダ；３０４，３０５・・・ギア
【図１】
2014182328.tif 000003
【図２】
2014182328.tif 000004
【図３】
2014182328.tif 000005
【図４】
2014182328.tif 000006
【図５】
2014182328.tif 000007
【図６】
2014182328.tif 000008
【図７】
2014182328.tif 000009